(57)【特許請求の範囲】
【請求項１】
表示パネルの電極端子と電気的に接触しうる接触端子を持つコンタクトフィルムを固定するフィルム固定手段を有し、前記表示パネルの電極端子と前記コンタクトフィルムの接触端子とを電気的に導通させて前記表示パネルの検査に供する表示パネル検査用ソケットにおいて、前記フィルム固定手段は、複数のコンタクトフィルムを並列配置するフィルム固定板を有しており、このフィルム固定板に、隣位する前記コンタクトフィルムの接触端子間のピッチを調整するためのピッチ調整板を前記接触端子の配列方向に摺動自在に設けるとともに、このピッチ調整板を接触端子の配列方向に付勢するピッチ調整用付勢部材を取り付け、このピッチ調整用付勢部材の付勢力に対抗して前記ピッチ調整板を押動するピッチ調整用押動部材を設けたことを特徴とする表示パネル検査用ソケット。
【請求項２】
前記フィルム固定板とともに前記複数のコンタクトフィルムを挟持する他のフィルム固定板を設け、それらの両フィルム固定板の長手方向の両端部近傍に固定板締結部材を取り付けるとともに、前記各コンタクトフィルム同士の中間位置近傍に前記両フィルム固定板を締め付けるように押圧する補助押圧手段を設けたことを特徴とする請求項１に記載の表示パネル検査用ソケット。
【請求項３】
前記補助押圧手段は、２つの前記フィルム固定板の重畳方向に移動可能に押圧用台座を配置し、この押圧用台座を前記重畳方向の外側に移動させる台座移動部材を設け、この台座移動部材による前記押圧用台座の重畳方向外側への移動に伴って２つの前記フィルム固定板をその弾性力により締め付ける押圧用弾性部材を有することを特徴とする請求項２に記載の表示パネル検査用ソケット。
【請求項４】
表示パネルの電極端子と電気的に接触しうる接触端子を持つコンタクトフィルムを固定するフィルム固定手段と、前記コンタクトフィルムの接触端子に前記表示パネルの電極端子が接触するように位置調整する接触位置調整手段とを有し、前記表示パネルの検査に供する表示パネル検査用ソケットにおいて、前記接触位置調整手段は、表示パネルの一側面の両角部近傍位置およびその一側面に直交する他の２側面のうちいずれか一方の側面の角部近傍位置にそれぞれ表示パネルの側面に当接しうる３つのパネル側面支持弾性部材を備えたパネル位置決め板と、前記各パネル側面支持弾性部材が当接する側面と反対側の前記表示パネルの側面を押圧するパネル側面押圧弾性部材を備えたパネル側面押圧板と、これらのパネル側面押圧板に表示パネル側への押圧力を付与する押圧力付与部材と、この押圧力に対抗して前記各パネル側面支持弾性部材を介して前記表示パネルを移動させてその位置を調整するために前記パネル位置決め板に取り付けられたパネル位置調整部材とを有することを特徴とする表示パネル検査用ソケット。
【請求項５】
前記パネル側面押圧板の前記表示パネル側への移動を妨げるストッパー板を揺動自在且つその支持軸を支点にして前記パネル側面押圧板側に傾斜するように常に付勢して設けるとともに、前記パネル側面押圧板における前記ストッパー板と係合可能な位置には押圧解除維持突起を設け、前記表示パネルに対する押圧力を解除する場合には前記押圧解除維持突起を前記ストッパー板に係合させて前記パネル側面押圧板が前記表示パネル側へ移動するのを妨げるようにし、前記表示パネルに対して押圧力を付与する場合には前記ストッパー板をその付勢力に対抗して揺動させて前記押圧解除維持突起との係合を解除して前記パネル側面押圧板を前記表示パネル側に移動するように構成したことを特徴とする請求項４に記載の表示パネル検査用ソケット。
【請求項６】
表示パネルを挟持するための１対のプレートと、前記１対のプレートを表示パネルを挟持した状態で締結するプレート締結手段とを有し、前記表示パネルの検査に供する表示パネル検査用ソケットにおいて、前記プレート締結手段は、前記一方のプレートに配置された締結用突起と、他方のプレートに前記締結用突起と係合する方向へ往復動自在に配設されているとともにラックが形成された締結用板ばねと、前記ラックに歯合するピニオンとを有し、このピニオンを回転させることにより前記締結用板ばねを前記締結用突起に係合させて前記１対のプレートを締結するようにするとともに前記各締結用板ばねに前記締結用突起との係合を解除する方向に付勢する付勢部材を取り付けたことを特徴とする表示パネル検査用ソケット。
【発明の詳細な説明】
【０００１】
【発明の属する技術分野】
本発明は、液晶表示パネル、エレクトロルミネセンスパネル、プラズマディスプレイパネルなどの種々の表示パネルの点灯状態、表示品位などの検査に好適な表示パネル検査用ソケットに関する。
【０００２】
【従来の技術】
一般に、エレクトロルミネセンスパネルや液晶表示パネルなどの表示パネルは、基板上に多数の電極端子を備えている。このため、前記表示パネルの製造工程において駆動用ＩＣタブなどの周辺回路との接続前に表示欠陥箇所や表示品位などの検査が行われる。そして、このような表示パネルの表示あるいは性能などを検査する場合には、表示パネルの電極端子を外部駆動回路に電気的に導通させるために表示パネル検査用ソケットが使用されている。
【０００３】
このような従来の表示パネル検査用ソケットは、例えば１対のプレートを有しており、このうち一方のプレート上には、表示パネルを配置するための略四角形状のパネル載置部が形成されており、このパネル載置部の各辺には配置された表示パネルの各電極端子との電気的な接触を行うための接触端子パターンが形成されたコンタクトフィルムが固定手段によって固定されている。前記コンタクトフィルムの個数は、表示パネルの電極端子の位置や個数に対応して決定されるものであるが、例えば一辺に複数個のコンタクトフィルムが配置される場合も多い。このとき、隣位するコンタクトフィルム間のピッチは各接触端子のピッチに合うように調整しなければならず、慎重な作業が必要とされていた。
【０００４】
そして、前記コンタクトフィルムの位置が決まってプレート上に固定されると、通常はコンタクトフィルムが損傷するまで前記コンタクトフィルムが取り外されることはない。その後、前記コンタクトフィルムの接触端子に表示パネルの電極端子が重ねられて接触するように調整された後に、もう一方のプレートが重ねられて両プレートが締結手段により締結される。この締結手段としては、例えばプレート面に沿ってスライド移動する板ばねを持つスライドプレートや締結用ねじが用いられる。前記スライドプレートは板ばねを有して他方のプレート（上側プレート）の上面にスライド移動可能となるように取り付けられており、一方のプレート（下側プレート）に設けられたフック部材と板ばね部が係合することにより、一対のプレートが締結される。すなわち、一方のプレート（下側プレート）上に他方のプレート（上側プレート）を重ね合わせた後、他方のプレート上面に取り付けられたスライドプレートをスライド移動させることにより、他方のプレートの貫通孔を通って他方のプレートの上面に臨んでいる一方のプレートに設けられたフック部材の先端部にスライドプレートの板ばねを係合させることにより一対のプレートを締結し、これにより前記表示パネルの電極端子とコンタクトフィルムの接触端子とを所要の接触圧で接触させるものである（特開平１１−９５６８０号公報参照）。
【０００５】
また、前記締結用ねじを用いる場合には、前記各プレートの所定位置においてそれぞれ締結用ねじを締め付けることで前記コンタクトフィルムの接触端子と表示パネルの電極端子とを所要の接触圧で接触させるようになっている。
【０００６】
【発明が解決しようとする課題】
しかしながら、従来の表示パネル検査用ソケットにおいては、表示パネルの一辺に形成された電極端子に対応して複数個のコンタクトフィルムがプレート上に固定される場合があるが、隣位するコンタクトフィルム同士のピッチの微調整が困難であったため、前記コンタクトフィルムのひとつが損傷してしまった場合には、この損傷したコンタクトフィルムだけを交換しても、再びもとの位置関係に配置することはほとんど不可能であり、このような損傷したコンタクトフィルムだけを交換することによる修理が実質的に不可能であるというのが実状であった。
【０００７】
また、隣位するコンタクトフィルム間の隙間が１ｍｍ程度と狭かったため両者の中間位置を固定ねじなどにより押圧することができなかった。そのため、前記コンタクトフィルムをプレート上に強固に固定できず、固定位置がずれてしまうことで接触端子のピッチもずれてしまうおそれがあった。
【０００８】
さらに、従来の表示パネル検査用ソケットにおいては、前記表示パネルの電極端子と前記コンタクトフィルムの接触端子とを接触させるための位置調整を行う場合に、表示パネルの方を移動させてその位置を微調整する機構がなかったため、位置決定が簡単に行えなかった。特に、小型の表示パネルを検査する場合には位置調整が難しく不便であった。
【０００９】
さらにまた、前記プレートの締結手段としてスライドプレートを使用する従来の表示パネル検査用ソケットにおいては、一対のプレートとほぼ同じ大きさを持つスライドプレートを解放位置から押圧位置へとスライドさせるための大がかりな治具が必要となり、ソケットシステムが大型化するとともに操作性も悪いという問題があった。
【００１０】
一方、前記プレートの締結手段として縮結用ねじを使用する表示パネル検査用ソケットにおいては、締結用ねじの本数が多いと均一な押圧力を得やすいが、締結用ねじの操作に手間がかかり作業性が低下するという問題があった。また、締結用ねじの本数が少ないと締結されるプレートにたわみが生じやすくなり、締結による押圧力が不均一なものとなってしまう。そして、プレートのたわみを防止するためにプレートの厚みを大きくするとソケットの重量が増加し、表示パネルの検査の作業性が低下してしまうという問題があった。
【００１１】
本発明はこれらの点に鑑みてなされたものであり、コンタクトフィルムを確実に固定できるとともにその交換および位置合わせが簡単にでき、またコンタクトフィルムの接触端子と表示パネルの電極端子との位置合わせ構造を簡単にして操作性を向上することができ、さらに１対のプレートの締結構造を簡単かつ小型化して操作性を向上することができる表示パネル検査用ソケットを提供することにある。
【００１２】
【課題を解決するための手段】
前述した目的を達成するため請求項１に係る表示パネル検査用ソケットの特徴は、フィルム固定手段が、複数のコンタクトフィルムを並列配置するフィルム固定板を有しており、このフィルム固定板に、隣位するコンタクトフィルムの接触端子間のピッチを調整するためのピッチ調整板を前記接触端子の配列方向に摺動自在に設けるとともに、このピッチ調整板を接触端子の配列方向に付勢するピッチ調整用付勢部材を取り付け、このピッチ調整用付勢部材の付勢力に対抗して前記ピッチ調整板を押動するピッチ調整用押動部材を設けた点にある。そして、このような構成を採用したことにより、ピッチ調整用押動部材がピッチ調整用付勢部材の付勢力に抗して前記ピッチ調整板を移動することで、このピッチ調整板に固定されているコンタクトフィルムの位置を接触端子の配列方向へ自在に移動することができ、隣位するコンタクトフィルムの接触端子間のピッチを微調整することができる。
【００１３】
また、請求項２に係る発明の特徴は、請求項１において、前記フィルム固定板とともに前記複数のコンタクトフィルムを挟持する他のフィルム固定板を設け、それらの両フィルム固定板の長手方向の両端部近傍に固定板締結部材を取り付けるとともに、前記各コンタクトフィルム同士の中間位置近傍に前記両フィルム固定板を締め付けるように押圧する補助押圧手段を設けた点にある。そして、このような構成を採用したことにより、２つのフィルム固定板がコンタクトフィルムを挟持し、その両端部を固定板締結部材が締結するとともに、補助押圧手段が各コンタクトフィルム同士の中間位置近傍を押圧するため、より強固にコンタクトフィルムをプレートに固定でき、位置ずれを確実に防止することができる。
【００１４】
また、請求項３に係る発明の特徴は、請求項２において、前記補助押圧手段は、２つの前記フィルム固定板の重畳方向に移動可能に押圧用台座を配置し、この押圧用台座を前記重畳方向の外側に移動させる台座移動部材を設け、この台座移動部材による前記押圧用台座の重畳方向外側への移動に伴って２つの前記フィルム固定板をその弾性力により締め付ける押圧用弾性部材を有する点にある。そして、このような構成を採用したことにより、台座移動部材が押圧用台座をフィルム固定板の重畳方向の外側に移動することで、押圧用弾性部材がその弾性力により前記２つのフィルム固定板を締め付けるため、隣位するコンタクトフィルム間の間隙が狭くてもそれらの中間位置を確実に押圧することができる。
【００１５】
また、請求項４に係る発明の特徴は、接触位置調整手段が、表示パネルの一側面の両角部近傍位置およびその一側面に直交する他の２側面のうちいずれか一方の側面の角部近傍位置にそれぞれ表示パネルの側面に当接しうる３つのパネル側面支持弾性部材を備えたパネル位置決め板と、前記各パネル側面支持弾性部材が当接する側面と反対側の前記表示パネルの側面を押圧するパネル側面押圧弾性部材を備えたパネル側面押圧板と、これらのパネル側面押圧板に表示パネル側への押圧力を付与する押圧力付与部材と、この押圧力に対抗して前記各パネル側面支持弾性部材を介して前記表示パネルを移動させて位置を調整するために前記パネル位置決め板に取り付けたパネル位置調整部材とを有する点にある。そして、このような構成を採用したことにより、パネル位置調整部材を操作することにより、各パネル側面支持弾性部材がパネル側面押圧板の押圧力に対抗しつつ、前記表示パネルを前後左右方向に移動させ、さらに回転させることができ、簡単かつ確実に表示パネルの電極端子を前記コンタクトフィルムの接触端子に接触させることができる。
【００１６】
また、請求項５に係る発明の特徴は、請求項４において、前記パネル側面押圧板の前記表示パネル側への移動を妨げるストッパー板を揺動自在且つその支持軸を支点にして前記パネル側面押圧板側に傾斜するように常に付勢して設けるとともに、前記パネル側面押圧板における前記ストッパー板と係合可能な位置には押圧解除維持突起を設け、前記表示パネルに対する押圧力を解除する場合には前記押圧解除維持突起を前記ストッパー板に係合させて前記パネル側面押圧板が前記表示パネル側へ移動するのを妨げるようにし、前記表示パネルに対して押圧力を付与する場合には前記ストッパー板をその付勢力に対抗して揺動させて前記押圧解除維持突起との係合を解除して前記パネル側面押圧板を前記表示パネル側に移動するように構成した点にある。そして、このような構成を採用したことにより、表示パネルを着脱する場合には、前記押圧解除維持突起がストッパー板に係合するようにパネル側面押圧板を移動させればよく、また再び表示パネルを押圧保持する場合には、前記押圧解除維持突起とストッパー板との係合を解除するようにパネル側面押圧板を移動させればよいため、簡単な操作で表示パネルの押圧保持および着脱を行うことができる。
【００１７】
また、請求項６に係る発明の特徴は、プレート締結手段が、一方のプレートに配置された締結用突起と、他方のプレートに前記締結用突起と係合する方向へ往復動自在に配設されており、ラックが形成された締結用板ばねと、前記ラックに歯合するピニオンとを有し、このピニオンを回転させることにより前記締結用板ばねを前記締結用突起に係合させて前記１対のプレートを締結するようにするとともに前記各締結用板ばねに前記締結用突起との係合を解除する方向に付勢する付勢部材を取り付けた点にある。そして、このような構成を採用したことにより、ピニオンを回転させるだけで締結用板ばねを直線的に移動させてフック部材の締結用突起と係合させて２つのプレートを簡単かつ確実に締結して表示パネルの電極端子とコンタクトフィルムの接触端子とを所望の圧力で接触させることができるし、簡単な構造であるためソケット自体を小型化することができる。更に、２つのプレートの締結を解除する場合に小さな力で締結用板ばねとフック部材の締結用突起との係合を解除することができ、より操作性を向上させることができる。
【００１９】
【発明の実施の形態】
以下、本発明の表示パネル検査用ソケット１の実施の一形態を図１乃至図２３により説明する。
【００２０】
本発明の表示パネル検査用ソケット１は、図１〜図３に示すように、表示パネル２を着脱可能に挟持する１対の上下プレート３，４を有しており、その下プレート３には、図示しない外部駆動回路に接続されるコンタクトフィルム５を位置調整して固定するためのフィルム固定手段６が設けられているとともに、前記コンタクトフィルム５の接触端子５ａ（図４参照）に表示パネル２の電極端子２ａ（図１０参照）が接触するように位置調整するための後述する接触位置調整機構が設けられている。また、前記表示パネル検査用ソケット１には、上下プレート３，４を表示パネル２を挟持した状態で締結するための後述するプレート締結機構が設けられており、このプレート締結機構による上下プレート３，４の締結により下プレート３に配設されたコンタクトフィルム５の接触端子５ａと表示パネル２の各辺に沿って整列形成された電極端子２ａとを所定の接触圧で接触させて、前記外部駆動回路と前記表示パネル２の電極端子２ａとを電気的に導通させて前記表示パネル２の検査に供するようになっている。
【００２１】
なお、前記上下のプレート３，４には、それぞれカバー３ａ，４ａが設けられており、内部機構の損傷を防止するようになっている。
【００２２】
前記フィルム固定手段６は、図１、図４乃至図９に示すように、複数のコンタクトフィルム５、本実施形態では２つのコンタクトフィルム５を固定保持する上下１対のフィルム固定板１０，１１を有している。これらのフィルム固定板１０，１１には、長手方向の両端部近傍に固定板締結部材である締結ねじ１２が取り付けられているとともに、前記各コンタクトフィルム５同士の中間位置近傍に前記上下フィルム固定板１０，１１を締め付けるように押圧する補助押圧手段１３が設けられている。この補助押圧手段１３を設けるために前記上フィルム固定板１１には、下フィルム固定板１０方向に開口部１４が形成されている。
【００２３】
前記補助押圧手段１３には、図４および図５に示すように、前記開口部１４を介して上下のフィルム固定板１０，１１の重畳方向（上下方向）に移動可能な押圧用台座１５が配置されている。この押圧用台座１５には、中央位置に後述する補助押圧ばねが係合するための凹部１６が形成されているとともにこの凹部１６を境界として左右位置に上下方向に貫通された２つの移動用ねじ穴１８が形成されている。この移動用ねじ穴１８には、台座移動部材たる台座移動ねじ１９が螺合されており、この台座移動ねじ１９を締め付けてその足部（図示せず）が下フィルム固定板１０に当接することにより、前記押圧用台座１５が上方へ移動するようになっている。また、前記押圧用台座１５の凹部１６には、図５に示すように、係合穴２０および傾斜溝２２が形成されており、前記係合穴２０に押圧用弾性部材たる断面略コ字状の押圧用弾性ばね２３の一端部が引っかかるようになっている。また、前記傾斜溝２２の幅は少なくとも前記押圧用弾性ばね２３の幅以上に形成されている。一方、前記押圧用弾性ばね２３のコ字状の下辺は下フィルム固定板１０の下面に当接するようになっている。
【００２４】
したがって、前記補助押圧手段１３においては、前記台座移動ねじ１９を回転させて前記押圧用台座１５を締め上げることにより、前記押圧用弾性ばね２３が拡開されて押圧用台座１５の前記傾斜溝２２にはまり、その押圧用弾性ばね２３の弾性力によって前記上フィルム固定板１１と前記下フィルム固定板１０とを２つのコンタクトフィルム５の中間位置において締め付けるようになっている。
【００２５】
また、前記下フィルム固定板１０には、並列配置された２つのコンタクトフィルム５の接触端子５ａ間のピッチを調整するためのピッチ調整板２４が前記接触端子５ａの配列方向に摺動自在に埋設されている。前記ピッチ調整板２４には、いずれか一方のコンタクトフィルム５が固着されるようになっている。なお、隣位する他方のコンタクトフィルム５は図８における中央より右側の下フィルム固定板１０上に固着されている。また、前記ピッチ調整板２４には、このピッチ調整板２４を隣位するコンタクトフィルム５側に付勢するためのピッチ調整用付勢部材たるピッチ調整用ばね２５が取り付けられている。さらに、そのピッチ調整用ばね２５の付勢力に対抗して前記ピッチ調整板２４を隣位するコンタクトフィルム５から離間させるように押動するためのピッチ調整用押動部材たるピッチ調整用偏心ピン２６が配設されている。このピッチ調整用偏心ピン２６には六角穴２８が形成されており、六角レンチなどを使って回転し微調整するようになっている。なお、前記ピッチ調整用偏心ピン２６は、下フィルム固定板１０のほぼ中央位置に配設されているため、前記押圧用台座１５に前記六角レンチ等を挿入するための挿入孔２９が形成されている。
【００２６】
なお、図４に示すように、前記下フィルム固定板１０には、前記コンタクトフィルム５における接触端子５ａの背面を支持するためのシリコンゴム等からなる端子支持弾性部材３０が埋設されており、その弾性力によって前記接触端子５ａを損傷させないようになっている。
【００２７】
また、図１において破線にて示すように、前記上下のフィルム固定板１０，１１を締結して構成されているフィルム固定手段６は両側端部を１対の長尺状の固定板保持部材３２によって下プレート３上の所定位置に保持されている。これらの固定板保持部材３２は、一端部を前記フィルム固定板１０の側端部に当接させているとともに、いずれか一方の固定板保持部材３２の他端部には、フィルム固定板１０を側面方向に付勢する固定板付勢ばね３３が設けられており、他方の固定板保持部材３２の他端部には、前記固定板付勢ばね３３の付勢力に対抗してフィルム固定板１０、すなわちフィルム固定手段６を移動させるための固定板移動ねじ３４が設けられている。したがって、前記固定板移動ねじ３４を適当に回転させることにより、前記フィルム固定手段６を側面方向に移動させてコンタクトフィルム５をその接触端子５ａの配列方向に移動することができるようになっている。
【００２８】
また、図１および図１０乃至図１５に示すように、下プレート３には、装着される表示パネル２の位置調整を行うための接触位置調整機構が組み込まれている。図１０及び図１１は、説明のために下プレート３のカバー３ａおよびフィルム固定手段６を取りはずして、表示パネル２と接触位置調整機構とを取り出して示したものであり、接触位置調整機構の構造は、次のとおりである。すなわち、表示パネル２の一側面（本実施形態では図１０の手前側側面）の両角部近傍位置およびその一側面に直交する他の２側面のうちいずれか一方の側面（本実施形態では図１０の右側側面）の角部近傍位置にそれぞれ当接する３つのパネル側面支持弾性部材３５を備えたパネル位置決め板３６を有している。このパネル位置決め板３６は、前記３つのパネル側面支持弾性部材３５を表示パネル２の各側面に直角に当接させるために略Ｌ字状に形成されている。
【００２９】
そして、前記各パネル側面支持弾性部材３５が当接する側面と反対側の前記表示パネル２の側面の近傍位置には、その側面を押圧するパネル側面押圧弾性部材３８を備えたパネル側面押圧板３９が摺動自在にそれぞれ配置されている。これらのパネル側面押圧板３９には、表示パネル２側へ押圧力を付与する図示しない押圧力付与部材が配設されている。
【００３０】
前記パネル側面支持弾性部材３５および前記パネル側面押圧弾性部材３８は、所定位置に固定された基準ピン４０に中空パイプ４１が嵌合されており、この中空パイプ４１の外周面にシリコンゴムなどの弾性体４２が取り付けられた構造とされている（図１２および図１４参照）。
【００３１】
また、前記パネル位置決め板３６には、前記パネル側面押圧板３９の押圧力に対抗して前記各パネル側面支持弾性部材３５を介して前記表示パネル２を移動させるパネル位置調整部材４４が設けられている。本実施形態における前記パネル位置調整部材４４は、３つの前記パネル側面支持弾性部材３５に対応してそれぞれ配設されており、偏心回転する調整ダイヤル４５が調整用板ばね４６により前記パネル位置決め板３６の側面に押圧されている。そのため、前記調整ダイヤル４５を偏心回転させることにより、前記調整用板ばね４６の付勢力で前記パネル位置決め板３６を移動し、前記パネル側面支持弾性部材３５を介して表示パネル２を微少量移動させることができるようになっている。このとき、３つの調整ダイヤル４５を選択的に操作することにより、前記表示パネル２をＸ方向およびＹ方向に移動することができるのはもちろんのこと、一側面に並列的に配置されたパネル側面支持弾性部材３５を相互に逆方向へ移動させると表示パネル２を微小角度で回転移動させることができるようになっている。
【００３２】
また、前記パネル側面押圧板３９には、側圧解除機構４８が設けられている。図１２乃至図１５に示すように、この側圧解除機構４８には、前記パネル側面押圧板３９の表示パネル２側への移動を妨げるストッパー板４９が前記パネル側面押圧板３９の移動方向に対して直交するように設けられている。前記ストッパー板４９は、支持軸５０を支点として揺動自在に設けられており（図１３および図１５参照）、その一端部を前記パネル側面押圧板３９の上方に位置させるとともに、他端部には長軸方向へ長穴５２が形成されており傾斜用ピン５３が下プレート３のカバー３ａを貫通した状態で挿入されている。そして、この傾斜用ピン５３の軸部５３ａに沿って傾斜用コイルばね５４が配設されている。そのため、前記ストッパー板４９は、前記傾斜用コイルばね５４によって常にパネル側面押圧板３９側へ付勢されている。
【００３３】
一方、前記パネル側面押圧板３９の上面には、押圧板３９の押圧解除状態を維持するための押圧解除維持突起５５が突設されており、前記ストッパー板４９の側面に当接するようになっている。
【００３４】
したがって、前記表示パネル２に対する押圧力を解除する場合には、図１１、図１４および図１５に示すように、前記パネル側面押圧板３９を押圧力付与部材の押圧力（図中の矢印で示す方向の力）に抗して外側に移動させて、前記押圧解除維持突起５５の側面が前記ストッパー板４９の側面よりも外側となる位置まで移動させる。そうするとストッパー板４９が傾斜用コイルばね５４の付勢力により反時計回りの方向へ回動し、図１５に示す位置となり、ストッパー板４９の側面に押圧解除維持突起５５の側面が当接しうる状態となってパネル側面押圧板３９が押圧解除の位置に保持される。なお、前記ストッパー板４９には、前記押圧解除維持突起５５による当接力に確実に対抗するため、補強ピン５６が嵌合されている。
【００３５】
逆に、前記表示パネル２に対して押圧力を付与する場合には、図１０、図１２および図１３に示すように、図１５に示す状態から傾斜用ピン５３の上面を押し下げることによりストッパー板４９が時計回りの方向へ回動し、これによりストッパー板４９の側面と押圧解除維持突起５５の側面との係合状態が解除されて、これによりパネル側面押圧板３９は押圧力付与部材の押圧力により表示パネル２側に移動する。また、この移動に伴って前記押圧解除維持突起５５が前記ストッパー板４９の下方に潜り込んだ状態となり、前記ストッパー板４９の反時計回り方向の回動を規制する。
【００３６】
つぎに、前記プレート締結機構について説明する。
【００３７】
図１６乃至図２０に示すように、前記プレート締結機構は、表示パネル検査用ソケット１の両側面近傍にそれぞれ１対設けられている。まず、前記下プレート３の４角部近傍には、フック部材５８がそれぞれ固定されている。このフック部材５８は図１６乃至図１８に示すように、上プレート４まで突き抜けて配置されており、上方ほど径が小さくなる多段状に形成されている。このフック部材５８の最上段の側面には、締結用突起５９が水平方向に突出形成されている。
【００３８】
一方、上プレート４には、１対の締結用板ばね６０が前記締結用突起５９と係合する方向へ往復動自在に配設されている。前記各締結用板ばね６０の一端部には、ラック６２が形成されており、ほぼ中央位置で相互に対向するように配設されている。また、前記各締結用板ばね６０の他端部には、前記フック部材５８と係合する略Ｕ字状のスリット６３が形成されており、そのスリット６３の幅は前記締結用突起５９の最上段の直径以上に形成されている。さらに、そのスリット６３の長手方向における途中位置には、図１７、図１８、図２０および図２１に示すように、上方に突出するように折り曲げられた屈曲部６４が形成されている。
【００３９】
また、前記上プレート４には、前記各締結用板ばね６０のラック６２と歯合するピニオン６５が回転自在に配設されている。このピニオン６５の上面には直線状に３つの小穴６６が形成されており、これらの小穴６６に図２２および図２３に示すような締結用治具６８の突起６９を嵌合させて操作レバー８０を回転させることにより、ピニオン６５を回転させるようになっている。
【００４０】
さらに、前記締結用板ばね６０には、締結解除棒７０が締結用板ばね６０の摺動方向に沿って延在するように取り付けられており、その締結解除棒７０の端部には前記締結用板ばね６０を解除方向に付勢する締結解除コイルばね７１が係合されている。
【００４１】
したがって、前記締結用治具６８により前記ピニオン６５を図１６において時計回り方向に回転させると、前記各締結用板ばね６０は前記締結解除コイルの付勢力に対抗して外側方向へ移動し、前記スリット６３が前記フック部材５８に案内されて前記締結用突起５９の下方を移動していき、最終的に図１９乃至図２１に示すように、前記屈曲部６４が前記フック部材５８の締結用突起５９に係合するようになっている。これにより下プレート３と上プレート４とが締結されるようになっている。
【００４２】
逆に、上下プレート３，４の締結を解除する場合には、前記締結用治具６８を使って前記ピニオン６５を図１９において反時計回り方向に回転させて、前記屈曲部６４と前記締結用突起５９との係合状態を解除し、さらに前記締結解除コイルばね７１の付勢力を得て各締結用ばね６０を図１６に示す位置関係に戻す。
【００４３】
つぎに、本実施形態の表示パネル検査用ソケット１の作用について説明する。
【００４４】
本実施形態の表示パネル検査用ソケット１においては、下プレート３にコンタクトフィルム５を装着するために、フィルム固定板１０，１１にコンタクトフィルム５を固定する。まず、２つのコンタクトフィルム５のうちの一方を下フィルム固定板１０に固着するとともに、他方のコンタクトフィルム５をピッチ調整板２４に固着する。このとき、両コンタクトフィルム５が平行になるように固着する必要がある。その後、上フィルム固定板１１を重ねて、両端部を締結ねじ１２で軽く締結するとともに、中央部に補助押圧手段１３を取り付ける。そして、押圧用台座１５に形成されている挿入孔２９に六角レンチを挿入して六角穴２８に嵌合させ、ピッチ調整用偏心ピン２６を回転させる。これにより、前記ピッチ調整板２４がピッチ調整用ばね２５の付勢力に抗して移動するため、隣位するコンタクトフィルム５の接触端子５ａとのピッチが調整される。
【００４５】
このようにしてピッチ調整が完了すると、前記締結用ねじ１２によりフィルム固定板１０，１１の両端部をきつく締め付けるとともに、押圧用補助手段の押圧用台座１５に螺合されている台座移動ねじ１９を締め付けて前記押圧用台座１５を締め上げるようにする。これにより、断面略コ字状の押圧用弾性ばね２３が拡開されて前記押圧用台座１５の傾斜溝２２にはまり、その押圧用弾性ばね２３の弾性力によって前記上フィルム固定板１１と前記下フィルム固定板１０とを締め付けて前記コンタクトフィルム５を確実に固定する。
【００４６】
つぎに、下プレート３に表示パネル２を装着してその電極端子２ａとコンタクトフィルム５の接触端子５ａとが接触するように位置調整を行う。
【００４７】
まず、前記下プレート３に設けた３つのパネル側面押圧板３９をそれぞれ表示パネル２の装着位置から離間する方向に移動し、ストッパー板４９の側面に押圧解除維持突起５５の側面を当接させて表示パネル２を装着するためのスペースを確保する。そして、前記表示パネル２を装着位置に装着し、その後前記傾斜用ピン５３を下方に押し下げることによりストッパー板４９を回動させて前記押圧解除維持突起５５と前記ストッパー板４９の係合を解除すると、押圧力付与部材の押圧力によって前記パネル側面押圧板３９が表示パネル２側へ移動し、パネル側面押圧弾性部材３８を介して表示パネル２の側面を押圧する。これにより、表示パネル２の押圧面の反対側の側面を支持しているパネル側面支持弾性部材３５とともに表示パネル２を挟持する。
【００４８】
続いて、パネル位置決め板３６に配設された３つのパネル位置調整部材４４の調整ダイヤル４５を使って、表示パネル２の位置調整を行う。すなわち、調整ダイヤル４５を偏心回転させると、調整用板ばね４６の付勢力をもって前記パネル位置決め板３６が移動し、前記パネル側面支持弾性部材３５を介して表示パネル２が微少量移動する。このとき、３つの前記調整ダイヤル４５を選択的に操作することにより、前記表示パネル２をＸ方向およびＹ方向に移動し、あるいは回転させて、表示パネル２の電極端子２ａがコンタクトフィルム５の接触端子５ａに確実に接触するように表示パネル２の位置調整を行う。
【００４９】
また、このような表示パネル２の位置調整を行う際に、コンタクトフィルム５の例えばＸ方向の位置がずれている場合には、フィルム固定板１０，１１を保持している固定板保持部材３２を操作することによりコンタクトフィルム５の移動を併せて行い、表示パネル２とコンタクトフィルム５の接触端子との、より正確な位置合わせを行う。すなわち、固定板保持部材３２の固定板移動ねじ３４を時計周り方向あるいは反時計回り方向に回転させることにより、固定板付勢ばね３３に抗して前記フィルム固定手段６をＸ方向（あるいはＹ方向）に移動させる。
【００５０】
つぎに、上プレート４を下プレート３に重ね合わせた上で締結して表示パネル２の電極端子２ａとコンタクトフィルム５の接触端子５ａとを所定の接触圧で接触させる。
【００５１】
すなわち、まず、上プレート４を下プレート３に重ね合わせた段階では、プレート締結手段８は図１６に示すような状態にある。そこで、締結用治具６８を使ってピニオン６５を図１６における時計回り方向に回転させると、そのピニオン６５に歯合しているラック６２を介して１対の締結用板ばね６０が締結解除コイルばね７１のばね力に抗してそれぞれ離間する方向に移動される。このとき、締結用板ばね６０に形成されたスリット６３が下プレート３に固定されているフック部材５８に案内されるようにして移動される。そして、前記締結用板ばね６０が図１９に示す位置まで移動すると、前記締結用板ばね６０に形成された屈曲部６４が前記フック部材５８に設けられた締結用突起５９の下に潜り込むようにして係合し、安定する。これにより、下プレート３と上プレート４とが締結されるとともに、表示パネル２の電極端子２ａをコンタクトフィルム５の接触端子５ａに所定の接触圧で接触させることができる。
【００５２】
その後、各コンタクトフィルム５を図示しない外部駆動回路に接続して表示パネル２の検査を行う。
【００５３】
そして、所定の検査が終了すると、他の表示パネル２に交換するため、前記締結用治具６８を使ってピニオン６５を図１９の反時計回り方向に回転させ、前記締結用板ばね６０の屈曲部６４と前記フック部材５８の締結用突起５９との係合を解除し、前記締結解除コイルばね７１の付勢力をもって各締結用板ばね６０を互いに接近する方向へ移動させる。これにより、上プレート４と下プレート３の締結状態が解除されて上プレート４を下プレート３から取りはずせる状態となる。上プレート４を下プレート３から取りはずした後、さらに、下プレート３に配設されている前記パネル側面押圧板３９を押圧解除方向に移動させて、前記押圧解除維持突起５５をストッパー板４９に係合させることで、パネル側面支持弾性部材３５とパネル側面押圧弾性部材３８とによる表示パネル２の挟持状態を解除し、表示パネル２を表示パネル検査用ソケット１から取り外す。
【００５４】
したがって、本発明の実施形態によれば、まずピッチ調整用偏心ピン２６を回転させるだけで隣位するコンタクトフィルム５の接触端子５ａ間のピッチを微調整することができるので、ユーザによるコンタクトフィルム５の交換も容易に行うことができる。
【００５５】
また、コンタクトフィルム５の固定手段として、上下のフィルム固定板１０，１１の両端部を締結するだけでなく、隣位するコンタクトフィルム５の中間位置を簡単な構造の押圧用弾性ばね２３により締め付けるようにしているため、より強固にコンタクトフィルム５を固定できて位置ずれを確実に防止することができる。
【００５６】
さらに、３つの調整ダイヤル４５を選択的に偏心回転させることで、表示パネル２をＸ方向およびＹ方向に移動させ、さらに回転させることができるので、簡単かつ確実に表示パネル２の電極端子２ａをコンタクトフィルム５の接触端子５ａに接触させることができる。
【００５７】
さらにまた、表示パネル２を着脱する場合には、押圧解除維持突起５５がストッパー板４９に係合するようにパネル側面押圧板３９を移動させればよく、再び表示パネル２を押圧保持する場合には、前記押圧解除維持突起５５とストッパー板４９との係合を解除するようにパネル側面押圧板３９を移動させればよいため、簡単な操作で表示パネル２の押圧保持および着脱を行うことができる。
【００５８】
また、ピニオン６５を回転させるだけで締結用板ばね６０を移動させてフック部材５８の締結用突起５９と係合し、上下のプレート３，４を簡単かつ確実に締結することができるので、表示パネル２の電極端子２ａとコンタクトフィルム５の接触端子５ａとを所望の圧力で確実且つ簡単に接触させることができ、また締結構造が比較的簡単であるためソケット自体を小型化することができる。
【００５９】
しかも、前記締結用板ばね６０は、締結解除棒７０を介して締結解除コイルばね７１によって締結解除方向に付勢されているため、上下プレート３，４の締結を解除する場合に小さな力で締結用板ばね６０とフック部材５８の締結用突起５９との係合を解除することができ、より操作性を向上させることができる。
【００６０】
また、本発明は、前記各実施形態に限定されるものではなく、必要に応じて種々変更することができる。
【００６１】
【発明の効果】
以上説明したように請求項１に係る本発明の電気部品検査用ソケットによれば、ピッチ調整用押動部材を操作してピッチ調整板を移動するだけでコンタクトフィルムの位置を接触端子の配列方向へ自在に移動することができ、隣位するコンタクトフィルムの接触端子間のピッチを簡単に微調整することができ、ユーザ自身が容易にコンタクトフィルムの交換を行うことができる。
【００６２】
また、請求項２に係る発明によれば、請求項１に係る発明の効果に加えて、２つのフィルム固定板の両端部のみならず、各コンタクトフィルム同士の中間位置近傍も補助押圧手段によって締め付けるようになっているため、より強固にコンタクトフィルムをプレートに固定できて、位置ずれを確実に防止することができる。
【００６３】
また、請求項３に係る発明によれば、請求項２に係る発明の効果に加えて、押圧用台座の移動により押圧用弾性部材が２つのフィルム固定板を締め付けるようになっているため、隣位するコンタクトフィルム間の間隙が狭くてもそれらの中間位置を確実に押圧することができる。
【００６４】
また、請求項４に係る発明によれば、パネル位置調整部材を操作することにより、各パネル側面支持弾性部材がパネル側面押圧板の押圧力に対抗しつつ、表示パネルを前後左右方向に移動させ、さらに回転させることができ、簡単かつ確実に表示パネルの電極端子をコンタクトフィルムの接触端子に接触させることができる。
【００６５】
また、請求項５に係る発明によれば、請求項４に係る発明の効果に加えて、表示パネルを着脱する場合に押圧解除維持突起がストッパー板に係合するようにパネル側面押圧板を移動させればよく、さらに再び表示パネルを押圧保持する場合には押圧解除維持突起とストッパー板との係合を解除するようにパネル側面押圧板を移動させればよいため、簡単な操作で表示パネルの押圧保持および着脱を行うことができる。
【００６６】
また、請求項６に係る発明によれば、ピニオンを回転させるだけで締結用板ばねを移動させてフック部材の締結用突起と係合させて２つのプレートを簡単かつ確実に締結して表示パネルの電極端子とコンタクトフィルムの接触端子とを所望の圧力で接触させることができるし、簡単な構造であるためソケット自体を小型化することができるとともに、２つのプレートの締結を解除する場合に小さな力で締結用板ばねとフック部材の締結用突起との係合を解除することができ、より操作性を向上させることができるという効果を奏する。
【図面の簡単な説明】
【図１】  本発明に係る表示パネル検査用ソケットの一実施形態において上プレートを取り外した状態を示す平面図
【図２】  本実施形態における上プレートを下プレートに重ね合わせた状態を示す平面図
【図３】  本実施形態における上下のプレートを締結した状態を示す側面図
【図４】  本実施形態におけるフィルム固定手段を示す斜視図
【図５】  本実施形態における補助押圧手段の一部を示す斜視図
【図６】  本実施形態におけるフィルム固定板を示す平面図
【図７】  図６のＡ−Ａ断面図
【図８】  本実施形態における下フィルム固定板を示す平面図
【図９】  図８のＢ−Ｂ断面図
【図１０】  本実施形態における下プレートに組み込まれた接触位置調整機構により表示パネルを挟持している状態を示す平面図
【図１１】  本実施形態における側圧解除機構を操作して接触位置調整機構における表示パネルの側圧を解除した状態を示す平面図
【図１２】  本実施形態における側圧解除機構において表示パネルを押圧している状態を示す平面図
【図１３】  図１２の一部省略正面図
【図１４】  本実施形態における側圧解除機構において表示パネルへの押圧を解除した状態を示す平面図
【図１５】  図１４の一部省略正面図
【図１６】  本実施形態におけるプレート締結機構を示す表示パネル検査用ソケットの上プレートの一部カバーを取り外した平面図
【図１７】  本実施形態におけるプレート締結機構のフック部材と締結用突起との締結前の位置関係を示す説明図
【図１８】  図１７の右側面図
【図１９】  図１６においてプレート締結機構により上下プレートを締結した状態を示す一部省略平面図
【図２０】  本実施形態におけるプレート締結機構のフック部材と締結用突起との締結後の位置関係を示す説明図
【図２１】  図２０の右側面図
【図２２】  本実施形態におけるプレート締結手段を操作するための締結用治具を示す正面図
【図２３】  図２２の底面図
【符号の説明】
１  表示パネル検査用ソケット
２  表示パネル
２ａ  電極端子
３  下プレート
４  上プレート
５  コンタクトフィルム
５ａ  接触端子
６  フィルム固定手段
１０  下フィルム固定板
１１  上フィルム固定板
１２  締結ねじ
１３  補助押圧手段
１５  押圧用台座
１９  台座移動ねじ
２３  押圧用弾性ばね
２４  ピッチ調整板
２５  ピッチ調整用ばね
２６  ピッチ調整用偏心ピン
３５  パネル側面支持弾性部材
３６  パネル位置決め板
３８  パネル側面押圧弾性部材
３９  パネル側面押圧板
４４  パネル位置調整部材
４５  調整ダイヤル
４６  調整用板ばね
４９  ストッパー板
５０  支持軸
５４  傾斜用コイルばね
５５  押圧解除維持突起
５８  フック部材
５９  締結用突起
６０  締結用板ばね
６２  ラック
６４  屈曲部
６５  ピニオン
７１  締結解除コイルばね
【図１】
0003997044.tif 000002
【図２】
0003997044.tif 000003
【図３】
0003997044.tif 000004
【図４】
0003997044.tif 000005
【図５】
0003997044.tif 000006
【図６】
0003997044.tif 000007
【図７】
0003997044.tif 000008
【図８】
0003997044.tif 000009
【図９】
0003997044.tif 000010
【図１０】
0003997044.tif 000011
【図１１】
0003997044.tif 000012
【図１２】
0003997044.tif 000013
【図１３】
0003997044.tif 000014
【図１４】
0003997044.tif 000015
【図１５】
0003997044.tif 000016
【図１６】
0003997044.tif 000017
【図１７】
0003997044.tif 000018
【図１８】
0003997044.tif 000019
【図１９】
0003997044.tif 000020
【図２０】
0003997044.tif 000021
【図２１】
0003997044.tif 000022
【図２２】
0003997044.tif 000023
【図２３】
0003997044.tif 000024